(57)【要約】【課題】消費電力が節減できる駆動回路、これを有する表示装置及びこれの駆動方法を提供する。【解決手段】  駆動回路は制御部、駆動部及びスイッチング部で構成され表示パネルを駆動する。制御部は原始映像信号の提供を受け、駆動電圧に応答して映像信号と駆動部制御信号を出力し、駆動部は駆動部制御信号に応答して表示パネルに走査信号及び映像信号を出力する。スイッチング部は制御部に接続されスイッチング部制御信号に応答して制御部の駆動を制御する。従って、表示装置の消費電力を節減することができる。【選択図】  図３
2004348134.tif 000002
【特許請求の範囲】
【請求項１】
映像表示パネルを駆動するための駆動回路において、
駆動電圧に応答して映像信号と駆動部制御信号を出力する制御部と、
前記制御部から前記駆動部制御信号及び映像信号の入力を受け、前記駆動部制御信号に応答して前記表示パネルに走査信号または前記映像信号を出力する駆動部と、
前記制御部に接続され、スイッチング部制御信号に応答して、前記制御部を制御するスイッチング部と、
を含むことを特徴とする駆動回路。
【請求項２】
前記スイッチング部は前記スイッチング部制御信号が入力される制御電極と、前記駆動電圧が入力される第１電流電極と、前記制御部に接続された第２電流電極とを有するトランジスタからなることを特徴とする請求項１記載の駆動回路。
【請求項３】
前記スイッチング部は前記スイッチング部制御信号が提供される制御電極と、アース電圧が提供される第１電流電極と、前記制御部に接続された第２電流電極とを有するトランジスタからなることを特徴とする請求項１記載の駆動回路。
【請求項４】
前記制御部により読み取られる原始映像信号を保存するメモリ部をさらに含むことを特徴とする請求項１記載の駆動回路。
【請求項５】
前記駆動部は、
前記駆動部制御信号に含まれるゲート制御信号に応答して前記走査信号を出力するゲート駆動部と、
前記駆動部制御信号に含まれるソース制御信号に応答して前記映像信号を出力するソース駆動部と、
を含むことを特徴とする請求項１記載の駆動回路。
【請求項６】
外部から電源電圧の提供を受け前記スイッチング部に前記駆動電圧を出力する電圧発生部をさらに含むことを特徴とする請求項１記載の駆動回路。
【請求項７】
第１映像を表示するための第１表示パネルと、
駆動電圧に応答して映像信号と駆動部制御信号を出力する制御部と、前記制御部から前記駆動部制御信号及び映像信号の入力を受け、前記駆動部制御信号に応答して前記第１表示パネルに走査信号及び前記映像信号を出力する駆動部と、前記制御部に接続されスイッチング部制御信号に応答して前記駆動電圧を所定期間の間選択的に前記制御部に提供して前記制御部を制御するスイッチング部とで構成された駆動回路と、
を含むことを特徴とする表示装置。
【請求項８】
前記制御部により読み取られる原始映像信号を保存するメモリ部をさらに含むことを特徴とする請求項７記載の表示装置。
【請求項９】
前記駆動部は、  
前記駆動部制御信号に含まれるゲート制御信号に応答して前記走査信号を順に出力するゲート駆動部と、
前記駆動部制御信号に含まれるソース制御信号に応答して前記映像信号を出力するソース駆動部と、
を含むことを特徴とする請求項７記載の表示装置。
【請求項１０】
第２映像を表示するための第２表示パネルをさらに含み、
前記駆動回路は前記第２表示パネルを駆動することを特徴とする請求項７記載の表示装置。
【請求項１１】
映像を表示するための表示パネルを駆動するための駆動回路を駆動する方法において、
スイッチング部制御信号に応答して前記駆動回路に所定の第１期間の間駆動電圧を選択的に提供する段階と、
前記駆動電圧に応答して実質的に前記所定の第１期間の間映像信号及び駆動部制御信号を出力する段階と、
前記駆動部制御信号に応答して実質的に前記所定の第１期間の間前記表示パネルに映像を表示するための走査信号及び前記映像信号を前記表示パネルに提供して前記表示パネルを駆動する段階と、
を含むことを特徴とする駆動方法。
【請求項１２】
前記スイッチング部制御信号に応答して駆動電圧を前記駆動回路に前記所定の第１期間の間選択的に提供する段階は、スイッチング部制御信号に応答して駆動電圧をスイッチングし前記駆動回路に前記所定の第１期間の間選択的に提供する段階であることを特徴とする請求項１１記載の駆動方法。
【請求項１３】
前記駆動電圧に応答して原始映像信号を保存する段階をさらに含むことを特徴とする請求項１１記載の駆動方法。
【請求項１４】
前記スイッチング部制御信号は、所定の第２期間の間前記駆動電圧が提供されないように遮断することにより、前記所定の第２期間の間前記表示パネルが駆動されないようにすることを特徴とする請求項１１記載の駆動方法。
【請求項１５】
前記表示パネルは、第１映像を表示する第１表示パネル及び第２映像を表示するための第２表示パネルをさらに含み、前記スイッチング部制御信号は所定の第２期間の間前記駆動電圧が提供されないように遮断することによって前記所定の第２期間の間前記第１表示パネルが駆動されないようにすることを特徴とする請求項１４記載の駆動方法。
【請求項１６】
映像表示パネルを駆動するための駆動回路において、
駆動電圧に応答して映像信号と駆動部制御信号を出力する制御部と、
前記制御部から前記駆動部制御信号及び映像信号の入力を受け、前記駆動部制御信号に応答して前記表示パネルに映像信号を出力する駆動部と、
前記制御部に接続され、スイッチング部制御信号に応答して前記駆動電圧を所定の期間の間選択的に前記制御部に提供して前記制御部を制御するスイッチング部と、
を含むことを特徴とする駆動回路。
【請求項１７】
前記スイッチング部は前記スイッチング部制御信号が入力される制御電極と、前記駆動電圧が入力される第１電流電極と、前記制御部に接続された第２電流電極とを有するトランジスターからなることを特徴とする請求項１６記載の駆動回路。
【請求項１８】
前記スイッチング部は前記スイッチング部制御信号が入力される制御電極と、アース電圧が入力される第１電流電極と、前記制御部に接続された第２電流電極とを有するトランジスターからなることを特徴とする請求項１６記載の駆動回路。
【請求項１９】
映像表示パネルを駆動するための駆動回路において、
前記表示パネルに映像信号を出力することによって前記表示パネルを駆動するための駆動部に、駆動電圧に応答して映像信号と駆動部制御信号を出力する制御部と、
前記制御部に接続され、スイッチング部制御信号に応答して所定の期間の間選択的に前記制御部に前記駆動電圧を提供して前記制御部を制御するスイッチング部と、
を含むことを特徴とする駆動回路。
【発明の詳細な説明】
【技術分野】
【０００１】
本発明は駆動回路、これを有する表示装置及びこれの駆動方法に関し、より詳細には消費電力を節減できる駆動回路、これを有する表示装置及びこれの駆動方法に間する。
【背景技術】
【０００２】
携帯電話には、映像を表示する液晶表示パネルが外部に露出されたプリップ型及び液晶表示パネルと携帯電話を操作するためのキー入力部がヒンジで連結され液晶表示パネルとキー入力部が互いに対向するように折り畳むことができるフォルダー型とがある。
【０００３】
フォルダー型は液晶表示パネルの数により一般フォルダー型とデュアルフォルダー型で分類される。デュアルフォルダー型は主な画像を表示するメイン液晶表示パネル及び待機画像（例えば、時間、日、受信感度）などを表示するサブ液晶表示パネルを有する。
【０００４】
メイン液晶表示パネルはキー入力部と対向するように折り畳むことで外部に露出されず、サブ液晶表示パネルは外部に露出されて使用者がメイン液晶表示パネルを確認しなくてもサブ画像情報を確認することができるように構成されている。  
【０００５】
サブ液晶表示パネルは使用者が通話中ではなく非通話中のときもサブ画像情報を表示しなけれならないので、非通話中における携帯電話の電力消費の大部分はサブ液晶表示パネルで消耗される。
【０００６】
デューアルフォルダー型である場合、サブ液晶表示パネルはメイン液晶表示パネルに比べてサイズが小さく解像度も低いので電力消耗がフリップ型（ｆｌｉｐ  ｔｙｐｅ）より相対的に小さい。即ち、フリップ型の場合、サブ液晶表示パネルを別途備えていないので、メイン液晶表示パネルにサブ画像情報が表示される。
【０００７】
特に、フリップ型のメイン液晶表示パネルのサイズがデューアルフォルダー型のサブ液晶表示パネルより相対的に大きいため、デューアルフォルダー型よりフリップ型のものでで消耗される電力がさらに増加する。
【０００８】
使用者が通話中ではなくスタンバイモード（ｓｔａｎｄｂｙ  ｍｏｄｅ）でも、液晶表示パネルを駆動するための駆動回路部は動作をしている。液晶表示パネルの消費電流は主に駆動回路部から発生するので、使用者が通話中ではないような不必要な期間に、消費電流が発生して所望しない電力消耗をもたらす問題点があった。
【発明の開示】
【発明が解決しようとする課題】
【０００９】
従って、本発明の技術と課題はこのような点に着目したもので、本発明の第１目的は消費電力を節減するための駆動回路を提供することにある。
【００１０】
また、本発明の第２目的は前記駆動回路を有する表示装置を提供することにある。
【００１１】
また、本発明の第３目的は前記した駆動回路を駆動する方法を提供することにある。
【課題を解決するための手段】
【００１２】
本発明の第１目的の一特徴による駆動回路は、制御部、駆動部及びスイッチング部を含み映像を表示するための表示パネルに電気的に連結されて表示パネルを駆動する。
【００１３】
制御部は原始映像信号及び原始制御信号の提供を受け、駆動電圧に応答して映像信号と駆動部制御信号を出力し、駆動部は駆動部制御信号に応答して表示パネルに走査信号及び映像信号を出力する。
【００１４】
スイッチング部は制御部に接続されスイッチング部制御信号に応答して制御部の駆動を制御する。
【００１５】
また、本発明の第１目的の他の特徴による映像表示パネルを駆動するための駆動回路は駆動電圧に応答して映像信号と駆動部制御信号を出力する制御部と、制御部から駆動部制御信号及び映像信号の入力を受け、駆動部制御信号に応答して表示パネルに映像信号を出力する駆動部と、制御部に接続され、スイッチング部制御信号に応答して制御部の駆動を制御するスイッチング部とを含む。
【００１６】
また、本発明の第１目的のさらに他の特徴による映像表示パネルを駆動するための駆動回路は、第１表示パネルに映像信号を出力することによって表示パネルを駆動するための駆動部に、駆動電圧に応答して映像信号と駆動部制御信号を提供する制御部と、制御部に接続され、スイッチング部制御信号に応答して制御部の駆動を制御するスイッチング部とを含む。
【００１７】
また、本発明の第２目的による表示装置は第１映像を表示するための第１表示パネル及び第１表示パネルを駆動するための駆動回路を含む。駆動回路は制御部、駆動部及びスイッチング部を含む。
【００１８】
制御部は原始映像信号及び原始制御信号の提供を受け、駆動電圧に応答して映像信号と駆動部制御信号を出力し、駆動部は駆動部制御信号に応答して表示パネルに走査信号及び映像信号を出力する。
【００１９】
スイッチング部は制御部に連結されスイッチング部制御信号に応答して制御部の駆動を制御する。
【００２０】
また、本発明のまたの他の特徴によると、映像を表示するための表示パネルを駆動するための駆動回路を駆動する方法は、スイッチング部制御信号に応答して駆動電圧をスイッチングし、駆動電圧に応答して原始映像信号を保存する。以後、駆動電圧及び原始制御信号に応答して適切な時期に映像信号及び駆動部制御信号として出力し、駆動部制御信号に応答して映像を表示するのに利用される走査信号及び映像信号を出力する。
【００２１】
このような駆動回路、これを有する表示装置及びこれの駆動方法によると、スイッチング部は電圧発生部と制御部との間に設けられて、通話中ではない不必要な期間には電圧発生部から出力されて制御部に提供される駆動電圧を遮断または通過させることで制御部の駆動を制御する。
【００２２】
従って、通話中ではない不必要な期間に制御部が駆動されることを防止でき、それによって表示装置の全体的な消費電力を節減することができる。
【発明を実施するための最良の形態】
【００２３】
以下、図面を参照して本発明の望ましい一実施例をより詳細に説明する。
【００２４】
図１は本発明の一実施例による携帯電話を示す斜視図であり、図２は図１に示された第１及び第２液晶表示パネルの連結関係を具体的に示す平面図である。
【００２５】
図１に示すように、本発明の一実施例による携帯電話６００は、電源に応答して画像を表示する液晶表示モジュール３００、液晶表示モジュール３００と連結され液晶表示モジュール３００を制御する制御モジュール４００及び制御モジュール４００の背面に着脱可能なように結合され液晶表示モジュール３００及び制御モジュール４００に電源を提供する電源供給部５００を含む。
【００２６】
液晶表示モジュール３００と制御モジュール４００とはヒンジにより開閉自在に結合され、使用者の開閉動作により制御モジュール４００が外部に露出した状態または露出されない状態にすることが可能となっている。
【００２７】
液晶表示モジュール３００はサブ画像情報を表示する第１液晶表示パネル１００及びメイン映像情報を表示する第２液晶表示パネル２００で構成される。具体的に第１液晶表示パネル１００は、使用者の操作による入力信号が提供されない状態で、サブ画像情報（例えば、時間、日及び受信感度など）を表示する。一方、第２液晶表示パネル２００は、使用者の操作により入力される入力信号に応答して駆動され、入力信号に該当するメイン映像情報を表示する。
【００２８】
第２液晶表示パネル２００は第１液晶表示パネル１００より画面サイズも大きく解像度も高い。また、第１液晶表示パネル１００は、使用者が携帯電話６００をオープンしていない状態でも目で確認できるように、液晶表示モジュール３００の外側面に設けられて外部に露出された状態に保持される。一方、第２液晶表示パネル２００は、液晶表示モジュール３００の内側面に設けられて開閉動作により外部に露出された状態あるいは露出されない状態にすることが可能である。
【００２９】
一方、制御モジュール４００は使用者の操作による指示入力を受け付けるためのキー入力部４１０を含み、特定画像を表示するための制御信号を生成して液晶表示モジュール３００に伝送する。
【００３０】
図２に示すように、第１液晶表示パネル１００はサブ映像情報を表示する第１表示領域ＤＡ１及び第１表示領域ＤＡ１の周辺に形成された第１周辺領域ＳＡ１で構成される。また、第２液晶表示パネル２００はメイン映像情報を表示するための第２表示領域ＤＡ２及び第２表示領域ＤＡ２の周辺に形成された第２周辺領域ＳＡ２で構成される。
【００３１】
第２液晶表示パネル２００のサイズは第１液晶表示パネル１００のサイズより大きく、それによって第２表示領域ＤＡ２のサイズも第１表示領域ＤＡ１のサイズより大きい。また、第２表示領域ＤＡ２の解像度は第１表示領域ＤＡ１の解像度より高い。例えば、第１液晶表示パネル１００の解像度が１７２＊１３２であり、第２液晶表示パネル２００の解像度は１７２＊２４０である。
【００３２】
第１液晶表示パネル１００及び第２液晶表示パネル２００は、フレキシブル印刷回路基板（ＦＰＣ）２３０により互いに電気的に連結される。フレキシブル印刷回路基板２３０の第１端部は第１周辺領域ＳＡ１に取り付けられ、第２端部は第２周辺領域ＳＡ２に取り付けられる。
【００３３】
第２周辺領域ＳＡ２には、第１液晶表示パネル１００及び第２液晶表示パネル２００を駆動するための第１駆動信号及び第２駆動信号を出力する統合チップ２５０が実装される。統合チップ２５０が第２周辺領域ＳＡ２に実装されている場合であっても、フレキシブル印刷回路基板２３０を介して統合チップ２５０と第１液晶表示パネル１００とが電気的に接続されており、統合チップ２５０から出力された第１駆動信号を第１液晶表示パネル１００に印加することができる。
【００３４】
統合チップ２５０は、第１表示領域ＤＡ１に対応する第１走査信号を出力する第１ゲート側出力端子（Ｇ１−１〜Ｇ１−ｉ）及び第２表示領域ＤＡ２に対応する第２走査信号を出力する第２ゲート側出力端子（Ｇ２−１〜Ｇ２−ｎ）を備える。ここで、ｉ及びｎは２以上の自然数であり、ｉはｎより小さいか等しい数である。第１液晶表示パネル１００の解像度が１７２＊１３２であり、第２液晶表示パネル２００の解像度が１７２＊２４０であるとすると、ｉは１３２で、ｎは２４０となる。
【００３５】
また、統合チップ２５０は、第１表示領域ＤＡ１に対応して第１または第２映像信号を出力するソース側出力端子（Ｄ１−１〜Ｄ１−ｍ）を含む。
【００３６】
第１表示領域ＤＡ１と第２表示領域ＤＡ２との間には、ソース側出力端子（Ｄ１−１〜Ｄ１−ｍ）から出力された第１映像信号を第１表示領域ＤＡ１に伝送する連結配線（Ｄ２−１〜Ｄ２−ｍ）が設けられる。ここで、ｍは２以上の自然数である。第２液晶表示パネル２００の解像度が１７２＊２４０であると、ｍは１７２になる。
【００３７】
図２においては連結配線（Ｄ２−１〜Ｄ２−ｍ）はソース出力端子（Ｄ１−１〜Ｄ１−ｍ）と一対一の対応となる。即ち、第１液晶表示パネル１００の解像度が１７２＊１３２であり、第２液晶表示パネル２００の解像度が１７２＊２４０である場合連結配線（Ｄ２−１〜Ｄ２−ｍ）とソース出力端子（Ｄ１−１〜Ｄ１−ｍ）の個数も１７２で互いに同一である。
【００３８】
図示していないが、連結配線（Ｄ２−１〜Ｄ２−ｍ）の個数はソース出力端子（Ｄ１−１〜Ｄ１−ｍ）より少ない構成とすることも可能である。
【００３９】
統合チップ２５０は、第１表示領域ＤＡ１に第１共通電圧を出力するための第１共通電圧端子Ｖｃｏｍ１及び第２表示領域ＤＡ２に第２共通電圧を出力するための第２共通電圧端子Ｖｃｏｍ２をさらに備える。
【００４０】
従って、第１表示領域ＤＡ１は、統合チップ２５０から提供される第１走査信号、第１映像信号及び第１共通電圧に応答してサブ映像情報を表示する。一方、第２表示領域ＤＡ２は、統合チップ２５０から提供される第２走査信号、第２映像信号及び第２共通電圧に応答してメイン映像情報を表示する。
【００４１】
図２においては、統合チップ２５０の第１側部にi個の第１ゲート側出力端子（Ｇ１−１〜Ｇ１−ｉ）及びｎ個の第２ゲート出力端子（Ｇ１−１〜Ｇ１−ｎ）が具備された構造を図示しているが、ｉ個の第１ゲート側出力端子（Ｇ１−１〜Ｇ１−ｉ）を統合チップ２５０の第１側部と第２側部にそれぞれ分割して設け、ｎ個の第２ゲート側出力端子（Ｇ１−１〜Ｇ１−ｎ）を統合チップ２５０の第１及び第２側部にそれぞれ分割して設けることも可能である。
【００４２】
図３は図１に示された統合チップの内部構成を具体的に示したブロック図で、図４は図３に示された第１スイッチング部を具体的に示す図面である。
【００４３】
図２及び図３に示すように、統合チップ２５０は制御部２５１、メモリ部２５２、電圧発生部２５３、駆動部２５５及び第１スイッチング部２５７を含む。
【００４４】
制御部２５１は第１駆動電圧ＶＣＣ、原始映像信号Ｏ−ＤＡＴＡ及び原始制御信号ＯＣＳの入力を受ける。ここで、原始制御信号ＯＣＳは垂直同期信号、水平同期信号及びメインクロックなどを含む。
【００４５】
制御部２５１は、第１駆動電圧ＶＣＣにより駆動され原始映像信号Ｏ−ＤＡＴＡをメモリ部２５２に保存する。原始映像信号Ｏ−ＤＡＴＡはＲ、Ｇ、Ｂデータを含む。以後、制御部２５１は原始制御信号ＯＣＳに応答して適切な時期にメモリ部２５２から映像信号ＤＡＴＡをライン単位で読みこむ。以後、読み込んだ映像信号及び駆動部２５５を制御するための垂直制御信号ＶＣＳ（ゲート制御信号）及び水平制御信号ＨＣＳ（ソース制御信号）を出力する。
【００４６】
駆動部２５５はソース駆動部２５５ａ及びゲート駆動部２５５ｂで構成される。ソース駆動部２５５ａは制御部２５１から提供される水平制御信号ＨＣＳに応答して映像信号ＤＡＴＡを統合チップ２５０のソース側出力端子（Ｄ１−１〜Ｄ１−ｍ）に出力する。
【００４７】
第１表示領域ＤＡ１にサブ映像情報を表示する場合、ソース駆動部２５５ａはｍ個のソース側出力端子（Ｄ１−１〜Ｄ１−ｍ）にサブ映像信号を出力し、第２表示領域ＤＡ２にメイン映像情報を表示する場合、ソース駆動部２５５ａはｍ個のソース側出力端子（Ｄ１−１〜Ｄ１−ｍ）にメイン映像信号を出力する。
【００４８】
ゲート駆動部２５５ｂは制御部２５１から提供される垂直制御信号ＶＣＳに応答して統合チップ２５０の第１または第２ゲート側出力端子（Ｇ１−ｌ〜Ｇ１−ｉ、Ｇ２−ｌ〜Ｇ２−ｎ）に順に走査信号を出力する。
【００４９】
即ち、第１表示領域ＤＡ１にサブ映像情報を表示する場合は、走査信号を第１ゲート側出力端子（Ｇ１−ｌ〜Ｇ１−ｉ）に出力し、第２表示領域ＤＡ２にメイン映像情報を表示する場合は、走査信号を第２ゲート側出力端子（Ｇ２−１〜Ｇ２−ｎ）に出力する。
【００５０】
電圧発生部２５３は、ＤＣ/ＤＣコンバーター部２５３ａ及び共通電圧発生部２５３ｂで構成される。ＤＣ/ＤＣコンバーター部２５３ａは、外部から電源電圧Ｖｐの入力を受け、電源電圧Ｖｐを制御部２５１、駆動部２５５及び共通電圧発生部２５３ｂを動作させるために適切なレベルにダウンして、駆動部２５５、共通電圧発生部２５３ｂ及び第１スイッチング部２５７に供給する。
【００５１】
ＤＣ/ＤＣコンバーター部２５３ａは、制御部２５１を駆動するための第１駆動電圧ＶＣＣを出力する。また、ＤＣ/ＤＣコンバーター部２５３ａはソース駆動部２５５ａ及び共通電圧発生部２５３ｂを駆動するための第２駆動電圧ＡＶＤＤ及びゲート駆動部２５５ｂを駆動するための第３駆動電圧ＶＧＤを出力する。
【００５２】
共通電圧発生部２５３ｂは第１表示領域ＤＡ１に印加される第１共通電圧ＶＣＯＭ１及び第２表示領域ＤＡ２に印加される第２共通電圧ＶＣＯＭ２を出力する。
【００５３】
第１スイッチング部２５７はＤＣ/ＤＣコンバーター部２５３ａと制御部２５１との間に設けられ、外部から提供される第１制御信号ＦＣＳに応答して第１駆動電圧ＶＣＣを制御部２５１に選択的に印加する。
【００５４】
図４に示すように、第１スイッチング部２５７は制御電極に第１制御信号ＦＣＳが入力され、第１電流電極に第１駆動電圧ＶＣＣが入力され、第２電流電極が制御部２５１と接続された第１トランジスタ２５７ａで構成される。例えば、第１トランジスタ２５７ａは、ＮＭＯＳまたはＰＭＯＳトランジスタで構成することができる。また、第１スイッチング部２５７は、第１制御信号ＦＣＳを制御信号として第１駆動電圧ＶＣＣをスイッチングさせる作用をする他の素子で構成することも可能である。
【００５５】
従って、第１制御信号ＦＣＳにより第１トランジスタ２５７ａがターンオフすると、第１駆動電圧ＶＣＣが制御部２５１に提供されないように遮断する。一方、第１制御信号ＦＣＳにより第１トランジスタ２５７ａがターンオンすると、制御部２５１に第１駆動電圧ＶＣＣが入力される。これによって、第１スイッチング部２５７は、制御部２５１の駆動を制御することができる。ここで、例えば、第１制御信号ＦＣＳは、ソフトウェア的またはハードウェア的に発生させたＯＮ/ＯＦＦ信号とすることができる。
【００５６】
図３では、電圧発生部２５３が統合チップ２５０に含まれた構造を示しているが、電圧発生部２５３が統合チップ２５０内に含まれずに別途設ける構成とすることができる。この場合にも、電圧発生部２５３と制御部２５１との間に第１スイッチング部２５７が設けられる。従って、第１スイッチング部２５７は、統合チップ２５０の外部から第１駆動電圧ＶＣＣを受信し、第１駆動電圧ＶＣＣをスイッチングして制御部２５１に選択的に印加することができる。
【００５７】
また、図３では、統合チップ２５０がゲート駆動部２５５ｂを含む構造を提示しているが、ＴＦＴ形成時にＴＦＴと同一の工程を通じて第１液晶表示パネル１１０の第１周辺領域ＳＡ１内に直接的にゲート駆動部２５５ｂを形成することもできる。また、ゲート駆動部２５５ｂ及びソース駆動部２５５ａ両方ともＴＦＴ形成時にＴＦＴと同一の工程を通じて第１液晶表示パネル１１０の第１周辺領域ＳＡ１内に直接的に形成することもできる。
【００５８】
図５は本発明の他の実施例による統合チップの内部構成を具体的に示すブロック図であり、図６は図３に示された第２スイッチング部を具体的に示す図面である。但し、図５及び図６において図３及び図４に示された構成要素と同一の構成要素は同一の参照符号を付与し、具体的説明は省略する。
【００５９】
図５に示すように、統合チップ２５０は制御部２５１、メモリ部２５２、電圧発生部２５３、駆動部２５５及び第２スイッチング部２５９を含む。
【００６０】
制御部２５１には、第１駆動電圧ＶＣＣ、原映像信号Ｏ−ＤＡＴＡ及び第１制御信号ＯＣＳが提供される。ここで、第１制御信号ＯＣＳは垂直同期信号、水平同期信号及びメインクロックなどを含む。
【００６１】
第２スイッチング部２５９は制御部２５１とアース電圧端子ＧＮＤとの間に設けられる。第２スイッチング部２５９は、第２制御信号ＳＣＳに応答して制御部２５１に印加される第１駆動電圧ＶＣＣをアース電圧端子ＧＮＤを通じて放電させる。
【００６２】
図６に示すように、第２スイッチング部２５９は、制御電極に第２制御信号ＳＣＳが入力され、第１電流電極にアース電圧端子ＧＮＤが接続され、第２電流電極に制御部２５１が接続された第２トランジスタ２５９ａからなる。ここで、第１電流電極は抵抗（図示せず）を通じてアース電圧ＧＮＤに接続される構成とすることもできる。例えば、第２トランジスタ２５９ａはＮＭＯＳまたはＰＭＯＳトランジスタで構成することができる。また、第２スイッチング部２５９は第２制御信号ＳＣＳを制御信号としてスイッチングさせる作用をする他の素子でも構成が可能である。
【００６３】
従って、第２制御信号ＳＣＳにより第２トランジスタ２５９ａがターンオンすると、アース電圧端子ＧＮＤと制御部２５１に供給された第１駆動電圧ＶＣＣが放電される。一方、第２制御信号ＳＣＳにより第２トランジスタが２５９ａがターンオフすると、制御部２５１に供給された第１駆動電圧ＶＣＣはアース電圧端子ＧＮＤに放電されず、制御部２５１を駆動するのに利用される。これによって、第２スイッチング部２５９は、制御部２５１の駆動を制御することができる。ここで、例えば、第２制御信号ＳＣＳはソフトウェア的にまたはハードウェア的に発生させたＯＮ/ＯＦＦ信号とすることができる。
【００６４】
図７は図３に示された統合チップの動作過程を示す流れ図であり、図８は図７に示された段階１００及び段階２００の細部動作過程を示す流れ図である。但し、図７及び図８では第１表示領域にサブ映像情報を表示する場合の統合チップの動作過程を例を挙げて示したもので、メイン映像情報を表示する場合にも適用可能である。
【００６５】
図３、図７及び図８に示すように、第１スイッチング部２５７は第１制御信号ＦＣＳ及び第１駆動電圧ＶＣＣを受信し、第１制御信号ＦＣＳに応答して第１駆動電圧ＶＣＣをスイッチングする（Ｓ１００）。
【００６６】
具体的に、第１スイッチング部２５７は外部から第１制御信号ＦＣＳ及び第１駆動電圧ＶＣＣを受信する（Ｓ１１０）。以後、第１スイッチング部２５７は、第１制御信号ＦＣＳがアクティブ状態または非アクティブ状態を有するかによって、制御部２５１をターンオンまたはターンオフさせる（Ｓ１２０）。
【００６７】
第１制御信号ＦＣＳがアクティブ状態である場合、第１スイッチング部２５７は第１駆動電圧ＶＣＣを制御部２５１に提供する。第１駆動電圧ＶＣＣが制御部２５１に提供される場合、制御部２５１は第１駆動電圧ＶＣＣによりターンオンする（Ｓ１３０）。
【００６８】
一方、段階１２０（Ｓ１２０）で第１制御信号ＦＣＳがアクティブ状態か否かを判断した結果、第１制御信号ＦＣＳが非アクティブ状態である場合には、スイッチング部２５７は第１駆動電圧ＶＣＣが制御部２５１に提供されないように遮断する。従って、制御部２５１は第１制御信号ＦＣＳが非アクティブ状態を維持している間ターンオフ状態を保持する（Ｓ１４０）。
【００６９】
図７に示されたように、第１駆動電圧ＶＣＣが制御部２５１に提供されると、制御部２５１は第１駆動電圧ＶＣＣに応答して外部から提供された原始映像信号Ｏ−ＤＡＴＡをメモリ部２５２に保存する（Ｓ２００）。
【００７０】
一方、制御部２５１には第１駆動電圧ＶＣＣが提供されるので、制御部２５１ｂはターンオン状態を保持する。ターンオンされた制御部２５１ｂはメモリ部２５２に保存された映像信号ＤＡＴＡを読みこんで、映像信号ＤＡＴＡと水平制御信号ＨＣＳをソース駆動部２５５ａに提供する（Ｓ３００）。従って、統合チップ２５０のソース側出力端子（Ｄｌ−１〜Ｄｌ−ｊ）にはサブ映像信号が出力される（Ｓ４００）。
【００７１】
また、ターンオンされた制御部２５１はゲート駆動部に垂直制御信号ＶＣＤを提供する（Ｓ３００）。従って、統合チップ２５０の第１ゲート側出力端子（Ｇｌ−１〜Ｇｌ−ｊ）には走査信号が出力される（Ｓ４００）。
【００７２】
以上、本発明の実施例によって詳細に説明したが、本発明はこれに限定されず本発明が属する技術分野において通常の知識を有するものであれば本発明の思想と精神を離れることなく、本発明を修正または変更できる。
【図面の簡単な説明】
【００７３】
【図１】本発明の一実施例による携帯電話を示す斜視図である。
【図２】図１に示された第１及び第２液晶表示パネルの接続関係を具体的に示す平面図である。
【図３】図１に示された統合チップの内部構成を具体的に示すブロック図である。
【図４】図３に示された第１スイッチング部を具体的に示す図面である。
【図５】本発明の他の実施例による統合チップの内部構成を具体的に示すブロック図である。
【図６】図５に示された第２スイッチング部を具体的に示す図面である。
【図７】図３に示された統合チップの動作過程を示す流れ図である。
【図８】図７に示された段階１００及び段階２００の細部動作過程を示す流れ図である。
【符号の説明】
【００７４】
１００      第１液晶表示パネル
２００      第２液晶表示パネル
２３０      フレキシブル印刷回路基板
２５０      統合チップ
２５１      制御部
２５２      メモリ部
２５３      電圧発生部
２５３ａ      コンバーター部
２５３ｂ      共通電圧発生部
２５５      駆動部
２５５ａ      ソース駆動部
２５５ｂ      ゲート駆動部
２５７      第１スイッチング部
２５７ａ      第１トランジスタ
２５９      第２スイッチング部
３００      液晶表示モジュール
４００      制御モジュール
４１０      キー入力部
５００      電源供給部
６００      携帯電話
【図１】
2004348134.tif 000003
【図２】
2004348134.tif 000004
【図３】
2004348134.tif 000005
【図４】
2004348134.tif 000006
【図５】
2004348134.tif 000007
【図６】
2004348134.tif 000008
【図７】
2004348134.tif 000009
【図８】
2004348134.tif 000010